(57)【要約】      （修正有）【課題】医療機器の操作に伴う治療行為や看護業務の効率低下を抑制する遠隔制御装置及び遠隔制御システムを提供する。【解決手段】遠隔制御装置１において、メモリ１３は、医療機器２の機能に割り当てられた医療従事者のジェスチャに対応するジェスチャ情報を記憶している。センサ１１は、ジェスチャを検出可能である。送信部１２は、医療機器の機能を遠隔制御する制御信号ＣＳを無線送信可能である。プロセッサ１４は、センサによってジェスチャ情報に対応するジェスチャＧが検出されると送信部に制御信号を送信させる。【選択図】図１
2020053935.tif 000002
【特許請求の範囲】
【請求項１】
医療機器の機能に割り当てられた医療従事者のジェスチャ、音声、および生体的特徴の少なくとも一つに対応する情報を記憶しているメモリと、
ジェスチャ、音声、および生体的特徴の少なくとも一つを検出可能なセンサと、
前記機能を遠隔制御する信号を無線送信可能な送信部と、
前記センサによって前記情報に対応するジェスチャと音声の少なくとも一方が検出されると前記送信部に前記信号を送信させるプロセッサと、
を備えている、
遠隔制御装置。
【請求項２】
前記医療機器における複数の機能の各々に医療従事者のジェスチャ、音声、および生体的特徴の少なくとも一つを割り当てて前記情報として前記メモリに記憶させるスイッチを備えている、
請求項１に記載の遠隔制御装置。
【請求項３】
複数の医療機器の各々における少なくとも一つの機能に医療従事者のジェスチャ、音声、および生体的特徴の少なくとも一つを割り当てて前記情報として前記メモリに記憶させるスイッチを備えている、
請求項１または２に記載の遠隔制御装置。
【請求項４】
前記機能は、アラームの出力を抑制する機能である、
請求項１から３のいずれか一項に記載の遠隔制御装置。
【請求項５】
前記信号が送信される方向を変更する調節装置を備えている、
請求項１から４のいずれか一項に記載の遠隔制御装置。
【請求項６】
接続部を有する筐体を備えており、
前記接続部は、前記筐体を所望の箇所に固定するための支持部材に着脱可能とされている、
請求項１から５のいずれか一項に記載の遠隔制御装置。
【請求項７】
少なくとも前記プロセッサに電力を供給する電池を収容する電池収容部を備えている、
請求項１から６のいずれか一項に記載の遠隔制御装置。
【請求項８】
前記信号により制御される医療機器を特定する情報を入力する入力インターフェースを備えている、
請求項１から７のいずれか一項に記載の遠隔制御装置。
【請求項９】
医療機器と、
前記医療機器の機能を遠隔制御する遠隔制御装置と、
を備えており、
前記遠隔制御装置は、
前記機能に割り当てられた医療従事者のジェスチャ、音声、および生体的特徴の少なくとも一つに対応する情報を記憶しているメモリと、
ジェスチャ、音声、および身体的特徴の少なくとも一つを検出可能なセンサと、
前記機能を制御する信号を無線送信可能な送信部と、
前記センサによって前記情報に対応するジェスチャ、音声、および身体的特徴の少なくとも一つが検出されると前記送信部に前記信号を送信させるプロセッサと、
を備えている、
遠隔制御システム。
【請求項１０】
前記遠隔制御装置と前記医療機器の少なくとも一方は、前記信号による制御−被制御関係を確立するための情報を入力する入力インターフェースを備えている、
請求項９に記載の遠隔制御システム。
【発明の詳細な説明】
【技術分野】
【０００１】
本発明は、医療機器の機能を遠隔制御する遠隔制御装置に関する。また、本発明は、当該医療機器と当該遠隔制御装置を含む遠隔制御システムに関する。
【背景技術】
【０００２】
特許文献１は、医療機器の一例として生体情報モニタを開示している。生体情報モニタは、患者や被検者の傍らに配置され、当該患者や被検者に装着されたセンサなどが接続される。センサを通じて取得された患者や被検者の生体情報は、生体情報モニタによる監視や表示に供される。生体情報が患者や被検者の正常状態からの逸脱を示すと、生体情報モニタは、アラームを出力して医療従事者に報知を行なう。医療従事者は、生体情報モニタに対して所定の操作を入力することによって、報知動作を解除する。
【先行技術文献】
【特許文献】
【０００３】
【特許文献１】特開２０１８−１０２６７１号公報
【発明の概要】
【発明が解決しようとする課題】
【０００４】
上記のような生体情報モニタの場合、予期せず発生する報知動作の度に生体情報モニタの設置場所に赴き、報知動作解除のための操作を入力する必要がある。したがって、治療行為や看護業務の効率低下が避けられない。特に手術室、新生児集中治療ユニット（ＮＩＣＵ）などの高い清潔性が求められる環境下では、そのような効率低下が顕著となる。生体情報モニタの操作を行なう度に手指などの消毒が必要になるからである。
【０００５】
本発明の目的は、医療機器の操作に伴う治療行為や看護業務の効率低下を抑制することである。
【課題を解決するための手段】
【０００６】
上記の目的を達成するための一態様は、遠隔制御装置であって、
医療機器の機能に割り当てられた医療従事者のジェスチャ、音声、および生体的特徴の少なくとも一つに対応する情報を記憶しているメモリと、
ジェスチャ、音声、および生体的特徴の少なくとも一つを検出可能なセンサと、
前記機能を遠隔制御する信号を無線送信可能な送信部と、
前記センサによって前記情報に対応するジェスチャと音声の少なくとも一方が検出されると前記送信部に前記信号を送信させるプロセッサと、
を備えている。
【０００７】
上記の目的を達成するための一態様は、遠隔制御システムであって、
医療機器と、
前記医療機器の機能を遠隔制御する遠隔制御装置と、
を備えており、
前記遠隔制御装置は、
前記機能に割り当てられた医療従事者のジェスチャ、音声、および生体的特徴の少なくとも一つに対応する情報を記憶しているメモリと、
ジェスチャ、音声、および身体的特徴の少なくとも一つを検出可能なセンサと、
前記機能を制御する信号を無線送信可能な送信部と、
前記センサによって前記情報に対応するジェスチャ、音声、および身体的特徴の少なくとも一つが検出されると前記送信部に前記信号を送信させるプロセッサと、
を備えている。
【０００８】
上記のような構成によれば、遠隔制御装置は医療従事者のジェスチャ、音声、および生体的特徴の少なくとも一つを検出することによって医療機器の機能を制御する信号を無線送信する。したがって、医療従事者は、遠隔制御装置にも医療機器にも直接触れることなく、必要最低限の動作で医療機器の機能を制御できる。これにより、医療機器の操作に伴う治療行為や看護業務の効率低下を抑制できる。特に手術室、新生児集中治療ユニット（ＮＩＣＵ）などの高い清潔性が求められる環境下では、消毒作業の必要性が低下することにより、前述の効果がより顕著となる。
【図面の簡単な説明】
【０００９】
【図１】一実施形態に係る遠隔制御装置の機能的構成を示している。
【図２】図１の遠隔制御装置の外観を示している。
【図３】図１の遠隔制御装置の外観を示している。
【図４】図１の遠隔制御装置の動作例を示している。
【図５】図１の遠隔制御装置の動作例を示している。
【発明を実施するための形態】
【００１０】
添付の図面を参照しつつ、実施形態の例について以下詳細に説明する。図１は、一実施形態に係る遠隔制御装置１の機能的構成を示している。図２と図３は、遠隔制御装置１の筐体１０を含む外観を示している。遠隔制御装置１は、無線通信により遠隔位置にある医療機器２の機能を遠隔制御するための装置である。遠隔制御装置１と医療機器２は、遠隔制御システムを構成しうる。
【００１１】
医療機器２としては、生体情報モニタ、手術支援装置（麻酔装置や輸液装置など）が例示されうる。医療機器２の機能としては、電源のオンオフ、ディスプレイに表示される情報項目の変更、ディスプレイに表示される情報の表示態様の変更、アラームなどの報知態様の変更、当該機器に固有の動作の実行や停止、各種設定の変更などが例示されうる。
【００１２】
図１に示されるように、遠隔制御装置１は、センサ１１を備えている。センサ１１は、医療従事者のジェスチャＧを検出するように構成されている。図２に示されるように、センサ１１は、例えば筐体１０の前面１０ａに配置される。
【００１３】
本明細書で用いられる「医療従事者のジェスチャ」という表現は、医療従事者が自身の身体の一部を用いて意図的に行なう動作を意味している。ジェスチャの例としては、手をかざす、人差し指を所定の方向へ動かす、両手の指を交差させる、首を振る、顔をセンサに近づける、腕を上下に動かす、膝を腰の高さまで上げるなどの動作が例示されうる。
【００１４】
センサ１１は、所定のジェスチャＧを認識可能な周知のセンサとして構成されうる。例えば、医療従事者が筐体１０に手をかざした事実のみを検出すればよいのであれば、センサ１１は、赤外線を使用した距離センサなどにより実現されうる。医療従事者の身体部分の移動方向や移動量の検出が必要であれば、センサ１１は、モーションセンサや撮像装置などにより実現されうる。
【００１５】
図１に示されるように、遠隔制御装置１は、送信部１２を備えている。送信部１２は、医療機器２の機能を制御する制御信号ＣＳを無線送信するように構成されている。図３に示されるように、送信部１２は、例えば筐体１０の背面１０ｂに配置される。送信部１２は、無線信号を送信可能な周知の装置として構成されうる。無線信号としては、赤外線などの所定の波長を有する光信号や、ＮＦＣ（Near Field Communication）、Bluetooth（登録商標）通信などの無線通信に利用される電波信号が例示されうる。
【００１６】
図１に示されるように、遠隔制御装置１は、メモリ１３、プロセッサ１４、および通信バス１５を備えている。センサ１１、送信部１２、メモリ１３、およびプロセッサ１４は、通信バスを介して相互に信号やデータを通信可能とされている。図示を省略するが、遠隔制御装置１は、センサ１１、送信部１２、メモリ１３、およびプロセッサ１４に割り当てられた所定の動作を実行しつつ、そのような通信を可能とする適宜の信号変換回路を備えている。そのような信号変換回路としては、Ａ／Ｄコンバータ、Ｄ／Ａコンバータ、周波数フィルタなどが例示されうる。
【００１７】
メモリ１３とプロセッサ１４は、協働する汎用マイクロプロセッサおよび汎用メモリでありうる。汎用マイクロプロセッサとしては、ＣＰＵやＭＰＵが例示されうる。汎用メモリとしては、ＲＯＭやＲＡＭが例示されうる。メモリ１３とプロセッサ１４は、マイクロコンピュータ、ＡＳＩＣ、ＦＰＧＡなどの専用集積回路の一部として実現されてもよい。
【００１８】
メモリ１３は、制御される医療機器２の機能に割り当てられた医療従事者のジェスチャＧに対応するジェスチャ情報を記憶している。具体的には、ジェスチャＧにより得られるセンサ１１の出力を表すジェスチャ情報と、医療機器２にアラームの出力を停止させる制御信号ＣＳを送信部１２に送信させるための制御情報とが、メモリ１３内において関連付けられている。
【００１９】
プロセッサ１４は、メモリ１３に記憶されているジェスチャ情報に対応する医療従事者のジェスチャＧがセンサ１１によって検出されると、当該ジェスチャＧに対応する医療機器２の機能を制御する制御信号を送信部１２に送信させるように構成されている。具体的には、プロセッサ１４は、センサ１１から出力された信号がメモリ１３に記憶されているジェスチャ情報と対応しているかを判断する。対応が確認された場合、プロセッサ１４は、医療機器２の機能を制御するためのジェスチャＧがセンサ１１によって検出されたと判断する。当該判断に基づき、プロセッサ１４は、メモリ１３内で当該ジェスチャＧに関連付けられている信号を送信部１２に送信させる。
【００２０】
図４は、上記のように構成された遠隔制御装置１の動作例を示している。本例においては、医療従事者が遠隔制御装置１に手をかざすというジェスチャＧが、医療機器２としての生体情報モニタから出力されるアラームを停止するという機能に割り当てられている。
【００２１】
生体情報モニタが監視している被検者あるいは患者の状態が正常状態から逸脱すると、生体情報モニタは、所定のアラームを出力して医療従事者に報知を行なう。報知を受けた医療従事者は、遠隔制御装置１に手をかざす。センサ１１は、医療従事者の当該ジェスチャを検出し、当該ジェスチャに対応する信号を出力する。プロセッサ１４は、当該信号がメモリ１３に記憶されている所定のジェスチャ情報に対応しているかを判断する。
【００２２】
図示の例においては、医療従事者によるジェスチャは、メモリ１３に記憶されている所定のジェスチャ情報に対応している。したがって、プロセッサ１４は、生体情報モニタのアラームの出力を停止させる制御信号ＣＳを、不図示の送信部１２に送信させる。医療機器２としての生体情報モニタは、無線送信される制御信号ＣＳを受信可能な不図示の受信部を備えている。生体情報モニタは、受信部が受信した制御信号ＣＳに応じて自身の動作を制御するように構成されている。本例の場合、生体情報モニタは、制御信号ＣＳの受信に応答してアラームの出力を停止する。
【００２３】
手をかざす以外のジェスチャを医療従事者が行なっても、当該ジェスチャはセンサ１１によって検出されうる。しかしながら、当該ジェスチャに応じてセンサ１１から出力される信号は、メモリ１３に記憶されている所定のジェスチャ情報とは対応していない。したがって、プロセッサ１４は、センサ１１が所定のジェスチャを検出したとは判断しない。よって、生体情報モニタのアラームの出力を停止させる制御信号ＣＳは、送信部１２から送信されない。
【００２４】
上記のような構成によれば、遠隔制御装置１は医療従事者のジェスチャＧを検出することによって医療機器２の機能を制御する制御信号ＣＳを無線送信するので、医療従事者は、遠隔制御装置１にも医療機器２にも直接触れることなく、必要最低限の動作で医療機器２の機能を制御できる。これにより、医療機器２の操作に伴う治療行為や看護業務の効率低下を抑制できる。特に手術室、新生児集中治療ユニット（ＮＩＣＵ）などの高い清潔性が求められる環境下では、消毒作業の必要性が低下することにより、前述の効果がより顕著となる。
【００２５】
図１に示されるように、遠隔制御装置１は、スイッチ１６を備えうる。スイッチ１６は、少なくとも一つのボタンスイッチやディップスイッチなどにより構成されうる。スイッチ１６は、筐体１０内に配置されてもよいし、筐体１０の外面に配置されてもよい。
【００２６】
スイッチ１６は、医療機器２における複数の機能の各々に医療従事者の特定のジェスチャＧを割り当て、ジェスチャ情報としてメモリ１３に記憶させるように構成されうる。
【００２７】
例えば、図５に示されるように、スイッチ１６の状態に応じて遠隔制御装置１内に複数のチャネルが設定されうる。図示の例においては、Ｎ個のチャネルが設定されている。第一チャネル、第二チャネル、および第Ｎチャネルは、医療機器２１の第一機能、第二機能、および第Ｎ機能にそれぞれ割り当てられている。第一機能は、例えばアラームの出力を停止する機能である。第二機能は、例えば電源をオンする機能である。第Ｎ機能は、例えば電源をオフする機能である。
【００２８】
Ｎ個のチャネルの各々には、医療従事者の特定のジェスチャが割り当てられうる。例えば、第一チャネルには「手をかざす」ジェスチャが、第二チャネルには「手を下から上へ動かす」ジェスチャが、第Ｎチャネルには「手を上から下へ動かす」ジェスチャが割り当てられうる。
【００２９】
このようなジェスチャの割り当ては、例えば以下の手順で行なわれうる。
・遠隔制御装置１に所定の操作を入力することにより学習モードを有効にする。
・スイッチ１６を操作して特定のチャネルに対応する状態にする。
・当該チャネルに割り当てを希望するジェスチャをセンサ１１に検出させる。
・遠隔制御装置１に所定の操作を入力することにより学習モードを終了する。
これにより、特定のジェスチャに対応するセンサ１１の出力信号と特定のチャネルとの関連付けがなされ、チャネルごとにジェスチャ情報としてメモリ１３に記憶される。
【００３０】
このような設定がなされた後、例えば医療従事者による「手を上から下へ動かす」ジェスチャがセンサ１１によって検出されると、プロセッサ１４は、医療機器２１の電源をオフする制御信号を送信部１２に送信させる。これにより、遠隔制御装置１から遠隔に位置する医療機器２１の電源がオフされる。
【００３１】
このような構成によれば、医療従事者は、遠隔制御装置１にも医療機器２にも直接触れることなく、医療機器２の複数の機能を制御できる。これにより、医療機器２の操作に伴う治療行為や看護業務の効率低下の抑制効果が高まる。
【００３２】
これに加えてあるいは代えて、スイッチ１６は、複数の医療機器２１、２２、…、２Ｎの各々における特定の機能に医療従事者の特定のジェスチャＧを割り当て、ジェスチャ情報としてメモリ１３に記憶させるように構成されうる。
【００３３】
例えば、図５に破線で示されるように、第一チャネル、第二チャネル、および第Ｎチャネルは、医療機器２１の第一機能、医療機器２２の第一機能、および医療機器２Ｎの第一機能にそれぞれ割り当てられている。第一機能は、例えばアラームの出力を停止する機能である。
【００３４】
この場合においても、Ｎ個のチャネルの各々には、医療従事者の特定のジェスチャが割り当てられうる。例えば、第一チャネルには「手をかざす」ジェスチャが、第二チャネルには「手を下から上へ動かす」ジェスチャが、第Ｎチャネルには「手を上から下へ動かす」ジェスチャが割り当てられうる。ジェスチャの割り当ては、上述した手順で行なわれうる。
【００３５】
このような設定がなされた後、例えば医療従事者による「手を上から下へ動かす」ジェスチャがセンサ１１によって検出されると、プロセッサ１４は、医療機器２Ｎのアラームの出力を停止させる制御信号を送信部１２に送信させる。これにより、遠隔制御装置１から遠隔に位置する医療機器２Ｎのアラームの出力が停止する。
【００３６】
このような構成によれば、医療従事者は、遠隔制御装置１にも医療機器２にも直接触れることなく、複数の医療機器２の機能を制御できる。これにより、医療機器２の操作に伴う治療行為や看護業務の効率低下の抑制効果が高まる。
【００３７】
なお、単一の遠隔制御装置１によって複数の医療機器２の機能が制御される場合、各医療機器において制御される機能の数は、適宜に定められうる。図５に示される例においては、遠隔制御装置１の第三チャネルが医療機器２２の第二機能に対応付けられている。すなわち、医療機器２２においては二つの機能が遠隔制御されうる。
【００３８】
前述の各例においては、医療機器２のアラームの出力を停止する機能が遠隔制御装置１によって制御されている。アラームの出力を停止する機能は、アラームの出力を抑制する機能の一例である。アラームの出力を抑制する機能には、アラームの出力を一定時間中断させる機能や、アラームの出力を不能にする機能も含まれうる。
【００３９】
医療機器２からアラームが出力されている場合、医療従事者は緊急の対応が求められる状況下にある蓋然性が高い。上記のような構成によれば、このような状況下での医療機器２の操作に伴う治療行為や看護業務の効率低下が抑制可能であるので、医療従事者による緊急の対応を支援できる。
【００４０】
図１に示されるように、遠隔制御装置１は、調節装置１７を備えうる。調節装置１７は、送信部１２から制御信号ＣＳが送信される方向を変更する装置である。例えば、図２と図３に示されるように、調節装置１７は、筐体１０上に配置されたノブ１７ａを含みうる。ノブ１７ａは、筐体１０内に配置された送信部１２に連結されうる。この場合、医療従事者は、ノブ１７ａを回動させることにより、図２に示される送信部１２の送信中心軸１２ａの向きを変更できる。送信中心軸１２ａは、送信部１２から送信される制御信号ＣＳの信号強度が最も強くなる角度方向に延びる軸である。
【００４１】
例えば図４に破線で示される医療機器２は、初期状態における送信中心軸１２ａの延長線上に位置していない。このような場合、医療従事者は、調節装置１７のノブ１７ａを回動することにより、送信中心軸１２ａが破線で示される医療機器２を向くように調節できる。これにより、送信部１２から送信された破線で示される制御信号ＣＳは、破線で示される医療機器２へ向かって送信される。
【００４２】
このような構成によれば、遠隔制御装置１と医療機器２が設置される場所のレイアウトや医療従事者の動線に応じて、遠隔制御装置１と医療機器２の位置関係を比較的高い自由度で定めることができる。これにより、医療機器２の操作に伴う治療行為や看護業務の効率低下の抑制効果が高まる。
【００４３】
図１に示されるように、遠隔制御装置１は、接続部１８を備えうる。接続部１８は、遠隔制御装置１の筐体１０を所望の箇所に固定するための支持部材３に着脱可能とされている。例えば図３に示されるように、接続部１８は、筐体１０の背面１０ｂに形成されたねじ穴とされうる。当該ねじ穴は、例えば１／４−２０ＵＮＣユニファイねじ規格に準拠したものとされうる。支持部材３は、当該ねじ穴と嵌合するねじ部と、所望の箇所に固定されうるクランプなどを備えている。図４は、支持部材３が遠隔制御装置１の筐体１０と結合された状態を例示している。
【００４４】
このような構成によれば、遠隔制御装置１の配置決定に係る自由度が高まる。これにより、医療機器２の操作に伴う治療行為や看護業務の効率低下の抑制効果が高まる。
【００４５】
図１に示されるように、遠隔制御装置１は、電池収容部１９を備えうる。電池収容部１９は、少なくともプロセッサ１４に電力を供給する電池４を収容するように構成されている。例えば図２と図３に示されるように、筐体１０の背面１０ｂに取り外し可能な電池蓋１０ｃが装着されうる。電池蓋１０ｃを取り外すことにより、電池収容部１９が開放されうる。電池収容部１９に収容される電池は、一次電池でもよいし、二次電池でもよい。
【００４６】
このような構成によれば、ケーブルを介して接続される商用電源との位置関係を考慮する必要がないので、遠隔制御装置１の配置決定に係る自由度が高まる。これにより、医療機器２の操作に伴う治療行為や看護業務の効率低下の抑制効果が高まる。
【００４７】
遠隔制御装置１と医療機器２は、制御−被制御の関係を確立する機能（ペアリング機能）を備えうる。例えば、図１に示されるように、遠隔制御装置１は、入力インターフェース２０を備えうる。医療従事者は、入力インターフェース２０を通じて、制御信号ＣＳによって制御される医療機器２を特定する情報を入力する。これに加えてあるいは代えて、同様の入力インターフェースが、医療機器２の側に設けられうる。この場合、医療従事者は、当該入力インターフェースを通じて、制御信号ＣＳを送信する遠隔制御装置１を特定する情報を入力する。これにより、遠隔制御装置１と医療機器２の少なくとも一方に入力された情報に基づいて、遠隔制御装置１と医療機器２のペアリングが確立される。
【００４８】
このような構成によれば、ペアリングが確立された特定の遠隔制御装置１と医療機器２の間でのみ遠隔制御が可能とされる。したがって、特定の医療機器２以外の医療機器が遠隔制御装置１から送信された制御信号ＣＳによって予期せず動作してしまう事態を回避できる。
【００４９】
上記の実施形態は本発明の理解を容易にするためのものであって、本発明を限定するものではない。本発明は、その趣旨を逸脱することなく変更・改良され得る。
【００５０】
上記の実施形態においては、医療従事者のジェスチャが、センサ１１によって検出される。これに加えてあるいは代えて、医療従事者の音声と身体的特徴の少なくとも一方が、センサ１１によって検出されてもよい。身体的特徴としては、網膜、指紋、顔などが例示されうる。この場合、センサ１１は、音声認識センサ、指紋センサ、網膜センサなどにより実現されうる。このような構成によっても、遠隔制御装置１に対する非接触な入力をトリガとして、医療機器２の機能を遠隔制御できる。
【符号の説明】
【００５１】
１：遠隔制御装置、１１：センサ、１２：送信部、１３：メモリ、１４：プロセッサ、１６：スイッチ、１７：調節装置、１８：接続部、１９：電池収容部、２０：入力インターフェース、２、２１、２２、２Ｎ：医療機器、３：支持部材、４：電池、ＣＳ：制御信号、Ｇ：ジェスチャ
【図１】
2020053935.tif 000003
【図２】
2020053935.tif 000004
【図３】
2020053935.tif 000005
【図４】
2020053935.tif 000006
【図５】
2020053935.tif 000007